【事件の表示】
　特願２００２−　９２８６１「電子デバイスの構成方法」拒絶査定不服審判事件〔平成１４年１２月２６日出願公開、特開２００２−３７３１４２〕について、次のとおり審決する。
【結　論】
　本件審判の請求は、成り立たない。
【理　由】
１．手続の経緯
　本願は、平成１４年３月２８日（パリ条約優先権主張２００１年３月２８日、英国）の出願であって、平成２１年４月１０日付けで拒絶査定がなされ、これに対して平成２１年８月１１日に拒絶査定に対する審判が請求されるとともに、同日付けで手続補正がなされたものである。
　
２．平成２１年８月１１日付け手続補正について
［補正却下の決定の結論］
　平成２１年８月１１日付け手続補正（以下「本件補正」という。）を却下する。
［理由］
　補正後の本願発明
　本件補正により、特許請求の範囲の請求項１８は次のとおり補正された。
「【請求項１８】他の電子デバイスによって使用される複数のユーザ選択可能な予め定義された異なるファンクションを実行可能な電子デバイスであって、
　予め定義されたファンクションの各々は、異なるデバイス記述子と関連付けられており、
　特定のクラスに関連する特定のデバイス・ドライバと関連付けられた前記複数の異なるファンクションの１つに関連する選択情報を受信するための第１のコンピュータ・コードと、
　第１のデフォルト非アドレス通信構成を用いて、選択された前記異なるファンクションの１つに関連する他のデバイス記述子を提供するための第２のコンピュータ・コードと、
を具備することを特徴とする電子デバイス。」
　
　上記補正は、本件補正前の請求項１８に記載した発明を特定するために必要な事項について、「複数の選択可能な」とあるのを、「複数のユーザ選択可能な」と限定し、「選択された前記異なるファンクションの１つに関連する他のデバイス記述子を提供するための第２のコンピュータ・コード」とあるのを、「第１のデフォルト非アドレス通信構成を用いて、選択された前記異なるファンクションの１つに関連する他のデバイス記述子を提供するための第２のコンピュータ・コード」と限定するものであって、特許法第１７条の２第４項第２号の特許請求の範囲の減縮を目的とするものに該当する。
　
　そこで、本件補正後の前記請求項１８に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（１）引用刊行物
　原査定の拒絶の理由に引用された、本願の優先日前に頒布された刊行物「特開平１１−１６１４４４号公報」（以下「引用刊行物」という。）には、図面とともに以下の記載がある。
「【特許請求の範囲】
【請求項１】  ホスト装置と、前記ホスト装置に接続される、機能を変化させることが可能な複合装置とを有するネットワークシステムであって、前記複合装置は、機能が変化したことを認識する認識手段と、前記認識手段により機能が変化したことを認識した場合、複合装置の機能をホスト装置に認識させる制御を行う制御手段とを有することを特徴とするネットワークシステム。
【請求項２】  前記ホスト装置と前記複合装置とはケーブルで電気的に接続され、前記制御手段は、複合装置の機能を認識させるため、前記ケーブルの電位を所定時間下げ、その後、電位を上げることを特徴とする請求項１記載のネットワークシステム。
【請求項３】  前記ホスト装置は、前記ケーブルの電位が所定時間下げられ、その後、電位が上げられたことを検出した場合、複合装置にリセット信号を送信し、複合装置の情報を読み込むことにより、複合装置の機能を認識することを特徴とする請求項２記載のネットワークシステム。
　・・・（省略）・・・
【請求項６】  前記ホスト装置は、複合装置の機能に対応するドライバをインストールすることを特徴とする請求項１記載のネットワークシステム。
【請求項７】  前記機能は、プリント機能、スキャン機能を含むことを特徴とする請求項１記載のネットワークシステム。
【請求項８】  前記機能は、プリント機能、コピー機能を含むことを特徴とする請求項１記載のネットワークシステム。
【請求項９】  前記機能は、両面印刷、ステープル、ソーター機能のいずれかのオプション機能を含むことを特徴とする請求項１記載のネットワークシステム。」（第２頁）
　
「【発明の詳細な説明】
【０００１】
【発明の属する技術分野】本発明は、例えばコンピュータを含むネットワーク等に接続される多機能な複合装置とその制御方法及びネットワークシステムに関するものである。」（第３頁）
　
「【０００３】従来、ホストシステムが上述のネットワーク上に繋がっているデバイスを認識し、そのデバイスに適した制御用のドライバを見つけ、適時にそれをインストールするプラグアンドプレイ機能（以降ＰｎＰ機能と略す）を実現するために、あらかじめ決められたプロトコルに従って接続されたデバイス（ノード１０４）の情報を流み取る方法がある。この情報の具体的例として機種名、メーカ名、消費電力、最大データ転送量等があげられる。
【０００４】一方、限られたプログラムの容量のＯＳでＰｎＰ機能を実現するためには、デバイス（ノード１０４）の情報から、ある程度のデバイスのクラス分け（プリンタクラス、入力機クラス、表示器クラス、Ｉｍａｇｅクラス、音響クラス等）を行い、各クラスに対する標準的なドライバでデバイスを駆動するといった方法がある。なお、このようなＰｎＰ機能を実現できるネットワークの規格として、例えばＩＥＥＥ１３９４やＵＳＢなどといった規格が知られている。
【０００５】
【発明が解決しようとする課題】また、近年、プリンタとスキャナなど、複数の機能（クラスが異なる）を有する様な複合機器が求められてきている。しかしながら、先に述べたＰｎＰ機能による方法では、デバイスの認識時に情報を一回読み取るだけなので、クラスが異なるデバイスを組み合わせた複合機には対応できない。さらに、単一のデパイスにしか対応できないため、一つのネットワークインターフェースで接続しようとした場合、以下の問題を生じる。
・それぞれが単一機能の複数のドライバを一つのネットワークデバイスにアサインできない。すなわち、ＰＣでは複数のドライバを一つのネットワークデバイスにインストールすることができない。
・複合機なのでクラス分けされた標準概念から外れ、標準ドライバではデバイスを駆動できない。
・このため独自でデバイスのドライバを作成しなくてはならない。従って、従来から使用していた個々のドライバを複合して一つの新しいドライパを作成する必用がある。
・複数の互いに異なるドライバ、例えばプリンタとスキャナという異なる概念のドライバを一つにするため、単一機能のドライバよりプログラムが大きくなる。
・プリンタとスキャナといった２つのファンクションを１つのドライバにした場合、システムのリソースを必要以上に取ってしまう。単純に言って単機能器の倍となる。当然ＰｎＰの特徴を活かしきっていない。
【０００６】本発明は上記従来例に鑑みてなされたもので、有している機能に応じて自動的に認識され、操作性の良好な複合装置とその制御方法及びネットワークシステムを提供することを目的とする。
【０００７】また、特別なドライバを用意しなくとも、クラス分けになじみ、クラスに対応する標準ドライバでも駆動可能な複合装置とその制御方法及ネットワークシステムを提供することを目的とする。
【０００８】また、複合装置の機能が切り替えられた場合に、それをホストコンピュータに認識させるための特別な操作をユーザが行う必要はない複合装置とその制御方法及ネットワークシステムを提供することを目的とする。
【０００９】また、複合装置の機能の切換処理をネットワークに接続されている他の装置に影響を与えることなく行うことができる複合装置とその制御方法及ネットワークシステムを提供することを目的とする。
【００１０】また、ホストコンピュータから複合装置に対する機能の切り換え要求に応じて当該複合装置がホストコンピュータに機能の切り換えを認識させるため、ホストコンピュータ側のソフトやハードを変更することなく複合装置の機能の切換を行わせることができる複合装置とその制御方法及ネットワークシステムを提供することを目的とする。
【００１１】
【課題を解決するための手段】上記目的を達成するために本発明のネットワークシステムは、ホスト装置と、前記ホスト装置に接続される、機能を変化させることが可能な複合装置とを有するネットワークシステムであって、前記複合装置は、機能が変化したことを認識する認識手段と、前記認識手段により機能が変化したことを認識した場合、複合装置の機能をホスト装置に認識させる制御を行う制御手段とを有することを特徴とする。
【００１２】又、本発明の複合装置は、ホスト装置に接続され、機能を変化させることが可能な複合装置であって、機能が変化したことを認識する認識手段と、前記認識手段により機能が変化したことを認識した場合、複合装置の機能をホスト装置に認識させる制御を行う制御手段とを有することを特徴とする。
【００１３】又、本発明の複合装置の制御方法は、ホスト装置に接続され、機能を変化させることが可能な複合装置の制御方法であって、機能が変化したことを認識する認識ステップと、前記認識ステップにより機能が変化したことを認識した場合、複合装置の機能をホスト装置に認識させる制御を行う制御ステップとを有することを特徴とする。
【００１４】又、本発明の記憶媒体は、ホスト装置に接続され、機能を変化させることが可能な複合装置の制御プログラムを記憶する記憶媒体であって、機能が変化したことを認識する認識ステップと、前記認識ステップにより機能が変化したことを認識した場合、複合装置の機能をホスト装置に認識させる制御を行う制御ステップとを有するプログラムを記憶することを特徴とする。」（第４〜５頁）
　
「【００２７】図４は本実施形態のネットワークを構成するための信号線とそのドライバを示す図である。
【００２８】信号線ｄａｔａ１とｄａｔａ２からなるシールドツイストケーブル４０１（以下ケーブル４０１と略す）は、ＰＣ１０２のトランシーバユニット４０２とデバイス１００のトランシーバユニット２０３とをつないでいる。各信号線はトランシーバ２０８と２０８’（トランシーバ２０８と同様）とを接続して電気的にデータのやり取りを行う。抵抗Ｒ１・Ｒ２はそれぞれの信号線に接続されており、信号線がハイ・インピーダンスになることを防いでいる。なお、図４ではＰＣとデバイスとが直接接続されているが、間に前述のハブ１０３が入った場合でも同様である。
【００２９】なお、複数の下流ポートと上流ポートからなるハブ１０３は、データをポートにリピートする機能および、下流ポートにつながった信号の変化（接続、非接続）を上流に伝える機能を有している。
【００３０】トランシーバ２０８，２０８’には、差動増幅型入出力器や信号線の各電圧読み取り用ポート，シリアルパラレル変換器等が内蔵されており、信号線ｄａｔａ１・ｄａｔａ２の電気信号を制御している。信号線ｄａｔａ１・ｄａｔａ２は、ＰＣ４０２の制御信号および他のノードからの信号をあらかじめ決めてあるプロトコルに従ってシリアルで伝達することが出来る。
【００３１】次に、ＵＳＢを用いてシリアルで伝達する信号状態について説明する。
【００３２】１ｂｉｔ時間は８２ｎｓ、Ｊステート（アイドル状態）はｄａｔａ１がハイ・ｄａｔａ２がロウ、Ｋステートはｄａｔａ１がロウ・ｄａｔａ２がハイと規定されており、ｄａｔａ１がロウ・ｄａｔａ２がロウが２．５ｕｓ以上検出された場合、切断状態を示し、ｄａｔａｌがロウ・ｄａｔａ２がロウが２６ｂｉｔ時間続き１ｂｉｔ時間のＪステートが検出された場合、パケット終端を示し、アイドル状態からＫステートに移行した場合、パケット開示を示し、パケット終端から１６ｂｉｔ時間以上経過した場合、タイムアウトを示す。
【００３３】本実施の形態では、パケット開始時には機器間の同期を行うクロック信号および機器を特定するためのアドレスが先頭に付加されている。したがって、図１の様なトポロジーを有するネットワークでも論理的にＰＣ１０２を中心とするスター型のネットワークを形成することができる。シリアルデータは、１ｂｉｔ時間のＪ（論理的にハイ）もしくはＫ（論理的にロウ）ステートで表す。パケットは必ずＰＣ１０２から発せられ、そのパケット内にある命令に従って、指定されたデバイスがデータの授受をし、さらにデータの交換を行う。
【００３４】なお、ＰＣ４０２側からｄａｔａ１・ｄａｔａ２信号を検査した場合、ｄａｔａ１がハイ・ｄａｔａ２がロウの場合ネットワークの片端（ノード側）に、機器が接続されていることを示している。また、信号のやり取りがない状態つまり、ｄａｔａ１がロウ・ｄａｔａ２がロウが２．５ｕｓ以上検出されたとき切断状態であることを示している。
【００３５】デバイス側のトランシーバユニット２０３では、ｄａｔａ１は抵抗Ｒ３を介してＲ制御器２０５に接続されている。Ｒ３に繋がったＲ制御器２０５は、主にＦＥＴで構成されヘッド検出器２０９の検出結果に応じて制御され、擬似的にデバイス１００が繋がっていないようにすることが出来る。」（第６頁）
　
「【００４３】図５（３）は、本実施形態に特徴的なＲ制御器２０５の制御によって擬似的にネットワークからデバイスを切断／接続したときの電圧波形を示す。
【００４４】タイミング５０５では、Ｒ制御器２０５の制御によって抵抗Ｒ３への電源供給を停止する。こうすることによってケーブル４０１が抜かれたことと同じ波形をしめす。電源供給停止により、ｄａｔａ１の電圧は抵抗Ｒ１とケーブルの容量にしたがって下降していく。そして、ある時間Ｔ２後（タイミング５０６）にｄａｔａ１の電位はＶｏｌを下回り、ポート入力がロウレベルと認識できるようになる。
【００４５】さらに、Ｒ制御器２０５はあらかじめ決められた時間Ｔ３（＞２．５ｕｓ）後に、再び抵抗Ｒ３の電源供給を開始する。従ってＰＣ１０２は、下流のポートのケーブル４０１のデバイスが物理的に取り外された状態と同様に、デバイスが切り離されたものと認識する。時間Ｔ３は、ＰＣ１０２が、取り外されたデバイスのドライパ（プリンタドライバもしくはスキャナドライバ）などをメモリから削除し、システム内部の再配置を行える時間として決められている。抵抗Ｒ３に電源供給が再開されると、ケーブル４０１にはデバイスが取り付けられた場合と同じ波形を示し、ｄａｔａ１の電圧は抵抗Ｒ３とケーブルの容量にしたがって上昇していく。ある時間Ｔ１後（タイミング５０８）に、ｄａｔａ１の電位はＶｏｈを越え、ポート入力がハイレベルと認識できるようになる。従ってＰＣ１０２は、下流のポートにデバイスが接続されたことを知ることができる。そして、デバイスから情報を読み出したあと、それに基づいて適切なドライバ（スキャナドライバもしくはプリンタドライバ）をインストールすることが出来る。
【００４６】図６は、本発明のプリンタ・スキャナ複合機のヘッド交換時の制御フローチャートである。この手順はプリンタ制御回路２０１により実行される。
【００４７】ユーザによりヘッドを交換されたか否かを、ステップ６０１でヘッド検出器２０９を読んで判定し、交換された場合、新しく装着されたヘッドが交換直前に装着されていたヘッドの種類と同じかどうかをステップ６０２で判定する。ヘッドが前と同じ種類の場合、ステップ６０１に戻る。一方、新しい種類のヘッドと認識された場合、ステップ６０３へ進む。
【００４８】ステップ６０３では、ヘッドが異なる種類に交換されたことを示す交換フラグを立ててステップ６０４に進む。ステップ６０４では、ポートを再接続するためにパルス信号をタイマ２０４に加え、処理は終了する。
【００４９】パルス信号によってタイマ２０４が起動されると、タイマ２０４は、Ｒ制御器２０５を制御して抵抗Ｒ３への電源供給をストップさせ、図５（３）に示した時間Ｔ２＋Ｔ３をカウントしてから電源供給を再開させる。従って、ネットワーク上ではケーブルが繋がっているにもかかわらず、ＰＣ１０２はデバイスの切断と接続とが時間Ｔ３＋Ｔ１だけ隔てて行われたものと認識し、デバイス１００の切断／接続の処理が実行される。
【００５０】ＰＣ１０２は、デバイス１００の切り離しにより、デバイス１００に対応したＰＣ１０２内のドライバを外す。引き続いてＰＣ１０２は、新しくネットワーク上にデバイス１００が接続されたものと見なすため、新しいデバイス１００に対してリセット信号を送り、あらかじめ決められたプロトコルに従って情報を読み取るなどの処理を進める。
【００５１】図７は、ＰＣからリセット信号を受信した際の制御フローである。この処理は、図６のステップ６０４でネットワークの切断／接続を起こすことによってＰＣ１０２が発行したリセットコマンドをデバイス１００が受けることで開始される。
【００５２】まず、ステップ７０１で判断フラグをテストし、デバイスのパワーオンリセットかそれともヘッド交換によるリセットかを判断する。ヘッド交換の場合にはステップ６０３で交換フラグがセットされているため、交換フラグ＝０すなわちパワーオンリセットと判断した場合はステップ７０２に進み、交換フラグ＝１すなわちヘッド交換によるリセットの場合はステップ７０３に進む。
【００５３】ステップ７０２では、メモリやプリンタ機構等のイニシャル動作を行い、またステップ７０３では、すでにメモリのイニシャライズは行われているため、プリンタ機構のみのイニシャル動作を行う。このとき交換フラグをリセットしておく。
【００５４】次に、ステップ７０４において、ヘッド検出器２０９からのデジタル信号を読み込んでヘッドの状態を判断し、各状態に従って、プリンタヘッドであればステップ７０５を、スキャナヘッドであればステップ７０６を行う。すなわち、ヘッド検出器２０９を読んでヘッドがスキャナヘッド３０３であると判断した場合、スキャナ用として用意されている情報が表１のように格納されているプリンタ制御用ＢＩＯＳ２０６の先頭アドレスを準備する。またヘッドがプリンタヘッド３０２であると判断された場合、プリンタ用として用意されている情報（表１参照）が格納されているアドレスを準備する。
【００５５】ステップ７０６では、先にセットされたアドレスにしたがってプリンタ制御用ＢＩＯＳ２０６から決められたデータ長を読みだし、メモリ２０７にあらかじめ展開してＰＣ１０２からの情報要求に応答する。ステップ７０７でデバイス情報の読み出し要求がＰＣ１０２からあった場合、ステップ７０８に進み、メモリ２０７に展開された情報をトランシーバユニット２０３を介してＰＣ１０２に転送して終了する。
【００５６】このように、ヘッドの状態に従って情報を正しくＰＣ１０２に転送して適時にＰｎＰを実現できる情報を伝達している。
【００５７】下表１は、本実施形態のデバイス１００であるスキャナ・プリンタ複合機からホストコンピュータであるＰＣに送出されるデバイス情報の例である。
（表１：デバイス情報の例）
　　　　　　　　　　　プリンタ　　　スキャナ
　　メーカ名　　　　　Ｃａｎｏｅ　　Ｃａｎｏｅ
　　プロダクトＩＤ　　０１ｈ　　　　０２ｈ
　　クラス　　　　　　プリンタ　　　イメージ
　　転送サイズ　　　　８バイト　　　３２バイト
すなわち、プリンタヘッドが装着されている場合には、ＰＣに対して「メーカ名（Ｃａｎｏｅ）」「プロダクトＩＤ（０１ｈ）」「クラス（プリンタ）」「転送サイズ（８バイト）」が送信され、スキャナヘッドが装着されている場合には、ＰＣに対して「メーカ名（Ｃａｎｏｅ）」「プロダクトＩＤ（０２ｈ）」「クラス（イメージ）」「転送サイズ（３２バイト）」が送信される。」（第７〜８頁）
　
「【００６１】図９はＰＣ１０２のネットワークに関する動作のフローチャートである。
【００６２】ＣＰＵ８０１は、常時ネットワーク１／Ｆ８０７の信号を変化をモニターしており、ステップ９０１でネットワーク上に新しいデバイスの接続もしくはネットワークの切断を判断している。この判断は、各デバイスについて、そのケーブルの非通信時の電位が、図５で説明したように、Ｖｏｌ以下であれば切り離しであり、Ｖｏｈ以上であれば接続であると判断する。デバイスが新しく接続された（アタッチ）と判断できた場合、ステップ９０３に進み、外された（デタッチ）場合、ステップ９０２に進む。ステップ９０２では、今までメモリ内に展開されていた、はずされたデバイス用のドライバをクリアして、それが占めていた領域を他のソフトウエアが使用できるように開放して処理を終了する。
【００６３】ステップ９０３では、新規に接続されたデバイスに対して初期化のためのリセット信号を送る処理を行い、ステップ９０４に進む。リセット信号を受けたデバイスは図７の手順で処理を行い、ＰＣからの要求に応じてデバイス情報を送信する。
【００６４】ステップ９０４では、新規に接続されたデバイスに対して、デバイス情報請求を行い、データを読み取る。ステップ９０５では、読み取ったデバイス情報、特にメーカ，クラス，転送サイズ等を検討し、すでに登録済みであるか、すなわち外部記憶装置８０３にドライバがロードされているかを判断し、登録済みの場合ステップ９０６に進み、登録済みでない場合、ステップ９０７に進む。
【００６５】ステップ９０７では、ユーザに対してデバイスに応じた新規ドライバのインストールを行う必用がある旨の表示を行い、ステップ９０８に進む。ステップ９０８では、ＦＤなどのリムーバブル記憶媒体や通信を介して、ドライバをメモリおよびＨＤＤなどで代表される外部記憶装置８０３にインストールし、そのドライバを登録状態にセットして終了する。
【００６６】一方ステップ９０６では、ＨＤＤなどで代表される外部記憶装置８０３に保存及び登録されたデータをステップ９０４読み出したデバイス情報を基に選び、ステップ９１０でそのドライバをメモリに展開して終了する。
【００６７】ＰＣ１０２とデバイス１００との間にハブ１０３がいる場合について説明する。
【００６８】ハブ１０３は、先に説明したＰＣ１０２のポートの検出動作と同様な検出動作をする。ハブ１０３は、下流ポートにつながった信号の変化（接続、非接続）を検出すると、ハブの状態変化と状態を示すデータに変換し、ＰＣ１０２が変換されたデータを読み取ることを可能とする。ＰＣ１０２は定期的（１０ｍｓごと）に接続している各ハブ１０３に対して状態変化を読んでいる。一方、状態変化のあるハブ１０３のみ、状態変化を示すデータを返す。したがって、ハブ１０３の状態変化を示すデータを読んで状態変化を検出したＰＣ１０２は、変化のおきたハブ１０３から変換されて状態を示すデータを読み出し、接続、もしくは、非接続を認識できる。デバイスの非接続を検出したＰＣ１０２は、先のステップ９０２を実施する。一方、接続を検出したＰＣ１０２は、接続されたデバイスに対して初期化のためのリセット信号を送る様ハブを制御して、ステップ９０４以降を実施する。ネットワーク内にハブ１０３が存在した場合でも問題なく実現できる。
【００６９】信号の変化（接続、非接続）を示す情報は、デバイス１００から上流（ＰＣ１０２）に向かって流れる。さらに、接続情報に伴う設定（情報）は、ＰＣ１０２からデバイスへと向かって行われる。従って、状態の変化はＰＣ１０２に向かう上流のデバイス以外のネットワークにつながる他のデバイスに影響を与えることなく実現できる。
【００７０】以上説明したように、本実施形態のプリンタ・スキャナ複合機は、プリンタヘッドからスキャナヘッドへ、あるいはスキャナヘッドからプリンタヘッドへとヘッド交換が行われたとき、ヘッドの種類を判定し、その種類に応じてホストコンピュータと接続された信号線の電圧を一定時間停止し、再度供給することによって、ホストにそのデバイスの切り離し・接続が行われたものと認識させることができる。このため、信号線の接続を行った時に、ヘッドの種類に従ってＰｎＰに必要な、すなわちホストコンピュータによるデバイスの自動認識に必要なデバイスの各種情報（機種名、ＩＤ、クラスなど）を、要求に従って出力することができる。
【００７１】このため、複合機であっても、使用される機能に応じてデバイスが認識され、複合機のために特別なドライバを用意する必要がなく、クラス分けに対応した標準ドライバを用いることさえもできる。
【００７２】また、１デバイス用の信号線で、２つの機能を使い分けることができる。
【００７３】また、ヘッドを切り替えるだけでホストコンピュータがそれを認識するため、ユーザはホストコンピュータに対して特別な操作を行う必要がなく、操作性が良い。
【００７４】また、プリンタ装置にスキャナ装置を接続して、コピーとして利用できるシステムにおいては、プリンタ単体の状態からプリンタにスキャナが接続された状態を検知し、（または、その逆）前述のように信号線の電圧を変化させることにより、装置の変化を認識させ、ホストコンピュータのドライバを切り替えさせることもできる。
【００７５】また、プリンタに両面印刷ユニット、ソータユニット、ステイプルユニット等のオプションが装着された時に、信号線の電圧を前述のように変化させ、装置の状態が変わったことを認識させることもできる。
【００７６】また、装置のプログラム等をバージョンアップされた際に信号線の電圧を前述のように変化させ、装置の状態を変化したことを認識させることもできる。
【００７７】なお、本実施形態ではスター上のネットワークに対して説明したが、ピア・ツウ・ピア型などの他のネットワークでも実現可能である。また、スキャナとプリンタについて説明したがデバイスの種類は何であっても良い。さらに３つ以上のデバイスの複合に対しても実現できる。また、デバイスの接続・切り離しの検出手段としてネットワーク信号の電圧という手段で説明したが、他の手段、具体的には、コミュニケーション不能状態による検出、ワッチドックによる検出等で実現でき、様々な方法が考えられる。
【００７８】さらに、本実施形態では交換されたヘッドの種類を認識し、それをきっかけとしてデバイスの自動認識を行っているが、複合機の機能が切り替えられたことを示す情報であればこれに限るものではなく、例えば、ユーザが操作するスイッチによる切り替えをきっかけとするなどでもよく、各機能に固有な信号を検出し、機能が切り替えられたことを認識すればよい。」（第８〜９頁）
　
　これら引用刊行物の記載から、引用刊行物には、以下の発明（以下、「引用発明」という。）が記載されているものと認められる。
「ホストコンピュータにＵＳＢにより接続され、ユーザによりプリンタ、スキャナ等の複数のデバイスを切り替えることができる複合機であって、
　ユーザはスイッチによる切り替えにより複合機の機能が切り合えられた事を示す情報を入力することができ、
　ホストコンピュータは新規にデバイスが接続されあるいは複合機の機能が切り替えられて新しいデバイスが接続されたことを認識すると、デバイスに対して初期化のためのリセット信号を送信し、リセット信号を受けたデバイスは、メーカ名、プロダクトＩＤ、クラスを含むデバイス情報（ＰｎＰを実現できる情報）をホストコンピュータに送信し、
　ホストコンピュータは、受信したデバイス情報を検討し、デバイスに応じた適切なドライバ（プリンタドライバ、スキャナドライバ等）をインストールすることができる、複合機。」
　
（２）対比
　本願補正発明と引用発明を対比すると、
　引用発明の「ホストコンピュータ」、「デバイス」、および「機能」は、それぞれ、本願補正発明の「他の電子デバイス」、「電子デバイス」、および「ファンクション」に相当する。
　引用発明のデバイスにおいて、ユーザはスイッチによる切り替えにより複合機の機能が切り合えられた事を示す情報を入力することができるから、引用発明のデバイスは、本願補正発明と同様に、複数の異なるファンクションの１つに関連する選択情報を受信しているということができる。
　引用発明のデバイス（複合機）は、ユーザによりプリンタ、スキャナ等の複数のデバイスを切り替えることができるから、引用発明のデバイスは、本願補正発明と同様に、プリンタ、スキャナ等の複数の、ユーザが選択可能な予め定義された複数の異なるファンクションを実行可能であるということができる。
　引用発明の「デバイス情報」は、メーカ名、プロダクトＩＤ、クラスを含んでおり、引用発明の「デバイス情報」は、本願補正発明の、「予め定められた記述子」に相当し、異なるファンクションは、異なる記述子と関連づけられているということができる。
　引用発明の他の電子デバイスは、デバイスから送信される記述子に応じた適切なドライバ（プリンタドライバ、スキャナドライバ等）をインストールすることができるから、引用発明のデバイスは、本願補正発明と同様に、通信構成を用いて、選択された異なるファンクションの１つに関連する他のデバイス記述子を提供しているということができる。
　
　したがって、両者は
「他の電子デバイスによって使用される複数のユーザ選択可能な予め定義された異なるファンクションを実行可能な電子デバイスであって、
　予め定義されたファンクションの各々は、異なるデバイス記述子と関連付けられており、
　特定のクラスに関連する特定のデバイス・ドライバと関連付けられた前記複数の異なるファンクションの１つに関連する選択情報を受信し、
　通信構成を用いて、選択された前記異なるファンクションの１つに関連する他のデバイス記述子を提供する、
　電子デバイス。」の点で一致し、以下の点で相違している。
　
相違点１
　本願補正発明の電子デバイスは、選択情報を受信するための第１のコンピュータ・コードを具備しているのに対して、引用発明の電子デバイスは、選択情報を受信しているが、選択情報を受信するための第１のコンピュータ・コードを具備しているのかどうか明らかではない点。
　
相違点２
　本願補正発明は、第１のデフォルト非アドレス通信構成を用いて、選択された前記異なるファンクションの１つに関連する他のデバイス記述子を提供するための第２のコンピュータ・コードとを具備しているのに対して、引用発明も、通信構成を用いて、選択された前記異なるファンクションの１つに関連する他のデバイス記述子を提供しているが、通信構成が、デフォルト非アドレス通信構成であるのかどうか明らかではなく、また、他のデバイス記述子を提供するために、第２のコンピュータ・コード を具備しているのか明らかではない点。
　
（３）当審の判断
　以下、上記相違点について検討する。
相違点１について
　電子デバイスにおいて、所定の動作をコンピュータ・コードにより実行することは周知であるから、引用発明の電子デバイスにおいて、選択情報を受信するために、第１のコンピュータ・コードを具備することは当業者が適宜になし得ることである。
　
相違点２について
　ＵＳＢ通信において、ホストコンピュータがデバイスをリセットして通信を開始するに際して、アドレスの割当て前にデフォルトパイプにより通信を行うこと（本願補正発明の「デフォルト非アドレス通信構成」に相当する。）は、特開２００１−５１９３８号公報（段落【００２０】〜【００２４】、図３、ホストコンピュータは移動機をリセットし、ホストコンピュータと移動機の間にデフォルトパイプが形成されてコントロール転送が可能となり、ホストコンピュータは移動機からデバイスディスクリプタを受信すると、移動機にデバイスアドレスを設定することが記載されている。）にも記載されているように周知である。また、電子デバイスにおいて、所定の動作をコンピュータ・コードにより実行することは周知である。
　そして、引用発明の通信構成を用いたデバイス記述子の提供は、ＵＳＢによりホストに接続されたデバイスがホストコンピュータによりリセットされた後になされているから、引用発明において上記周知技術を採用して、引用発明の通信構成をデフォルト非アドレス通信構成とすることにより、引用発明の電子デバイスが、第１のデフォルト非アドレス通信構成を用いて、選択された前記異なるファンクションの１つに関連する他のデバイス記述子を提供するための第２のコンピュータ・コードとを具備する構成とすることは当業者が容易になし得ることである。
　
　そして、本願補正発明のように構成したことによる効果も引用発明及び周知技術から予測できる程度のものである。
　
　したがって、本願補正発明（請求項１８に係る発明）は、引用発明及び周知技術に基づいて当業者が容易に発明をすることができたものであるから、特許法第２９条第２項の規定により特許出願の際独立して特許を受けることができないものである。　
　
（４）むすび
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　平成２１年８月１１日付け手続補正は上記のとおり却下されたので、本願の請求項１８に係る発明（以下、「本願発明」という。）は、平成２０年５月２６日付け手続補正書の特許請求の範囲の請求項１８に記載された事項により特定される、以下のとおりのものである。
「【請求項１８】　他の電子デバイスによって使用される複数の選択可能な予め定義された異なるファンクションを実行可能な電子デバイスであって、
　予め定義されたファンクションの各々は、異なるデバイス記述子と関連付けられており、
　特定のクラスに関連する特定のデバイス・ドライバと関連付けられた前記複数の異なるファンクションの１つに関連する選択情報を受信するための第１のコンピュータ・コードと、
　選択された前記異なるファンクションの１つに関連する他のデバイス記述子を提供するための第２のコンピュータ・コードと、を具備することを特徴とする電子デバイス。」
　
（１）引用刊行物
　原査定の拒絶の理由に引用された引用刊行物及びその記載事項は、前記「２．（１）」に記載したとおりである。
　
（２）対比・判断
　本願発明は、前記「２．」で検討した本願補正発明から「複数の選択可能な」とあるのを、「複数のユーザ選択可能な」とし、「選択された前記異なるファンクションの１つに関連する他のデバイス記述子を提供するための第２のコンピュータ・コード」とあるのを、「第１のデフォルト非アドレス通信構成を用いて、選択された前記異なるファンクションの１つに関連する他のデバイス記述子を提供するための第２のコンピュータ・コード」とする限定を削除したものである。
　そうすると、本願発明の構成要件を全て含みさらに限定を付したものに相当する本願補正発明が、前記「２．（３）」に記載したとおり、引用発明及び周知技術に基づいて、当業者が容易に発明をすることができたものであるから、本願発明も、同様の理由により、引用発明及び周知技術に基づいて、当業者が容易に発明をすることができたものである。
　
（３）むすび
　以上のとおり、本願発明（請求項１８に係る発明）は、引用発明及び周知技術に基づいて当業者が容易に発明をすることができたものである。
　したがって、本願は、特許法第２９条第２項の規定により特許を受けることができない。
　
　よって、結論のとおり審決する。